(57)【要約】      （修正有）【課題】インタラクタンス分光測定において正確な基準分光強度を容易に得ることのできる基準反射板を提供する。【解決手段】近赤外インタラクタンス分光測定を行う際に参照用の基準分光強度を得るために使用される基準白色板において、一方の表面である機能面１０は白色の面であって球面の一部を成す凹面で且つ完全拡散面である。基準白色板ユニットは、光出射部と光入射部とを備えたプローブと、近赤外インタラクタンス分光測定用基準反射板に対する位置決め機構としてのフレームを備え、フレームは、プローブからの光が照射された機能面１０の一部の領域１１以外の機能面１０内の領域１２を光入射部が見込むようプローブを位置決めする。光出射部は光源２であり、光入射部は光ファイバ３１の入射端である。【選択図】図３
2018004498.tif 000002
【特許請求の範囲】
【請求項１】
近赤外インタラクタンス分光測定を行う際、参照用の基準分光強度を得るために使用される基準白色板であって、
一方の表面である機能面は、白色の面であって球面の一部を成す凹面であり、且つ完全拡散面となっていることを特徴とする近赤外インタラクタンス分光測定用基準白色板。
【請求項２】
請求項１記載の近赤外インタラクタンス分光測定用基準白色板と、
光出射部と光入射部とを備えたプローブを近赤外インタラクタンス分光測定用基準白色板に対して位置決めする位置決め機構とを備えた基準白色板ユニットであって、
位置決め機構は、光出射部からの光が前記機能面の一部の領域に照射された際に、当該照射された領域以外の前記機能面内の領域を光入射部が見込むようプローブを位置決めする機構であることを特徴する基準白色板ユニット。
【請求項３】
近赤外域の光を発する光源と、
光源からの光が照射された試料からのインタラクタンス光を取り込んで分光する分光器と、
分光器で分光された光を検出する検出器と
を備えた近赤外インタラクタンス分光測定器を使用した測定に際して行われる基準分光強度の取得方法であって、
請求項１記載の近赤外インタラクタンス分光測定用基準白色板の機能面に対して前記光源により光照射する照射ステップと、
照射ステップにおいて機能面に照射された光の反射光を分光器に取り込んで分光し、検出器により検出して分光強度を得る検出ステップと
を有しており、
照射ステップは、機能面の一部の領域である照射領域に光を照射するステップであり、
検出ステップは、機能面内のうちの照射領域以外の領域からの拡散光を取り込むステップであることを特徴とする近赤外インタラクタンス分光測定における基準分光強度取得方法。
【発明の詳細な説明】
【技術分野】
【０００１】
本願の発明は、近赤外インタラクタンス分光測定の技術に関するものである。
【背景技術】
【０００２】
分光測定は、各種試料の分析や光源の発光スペクトルの分析などの目的で広く行われているが、近赤外域の分光測定では、インタラクタンス分光測定と呼ばれる手法がしばしば採用される。図８は、インタラクタンス分光測定の原理図である。
図８に示すように、インタラクタンス分光測定を行う場合、光源２からの光を照射光学系２１によって試料Ｍに照射する。この際、試料Ｍの表面からの反射光ではなく、試料Ｍの表面を透過し内部で散乱されたのち表面から出てきた光を捉えて分光器３で分光し、検出器４で各波長の強度（スペクトル）を得る。そして、予め測定しておいた参照用の基準となる分光スペクトルと比較し、内部散乱の分光特性を評価する。これにより、試料の成分や性質を知ることができる。
【０００３】
例えば、特許文献１に開示されているように、食肉の脂肪酸の含有量を近赤外インタラクタンス分光測定により知ることができる。この公報の手法では、７００〜１０００ｎｍの光の吸収率を測定し、それを検量線に当てはめることで脂肪酸組成値を検出している。
尚、特許文献１でも教示されているように、この場合の反射光は、内部散乱光と呼ぶべきである。本明細書では、インタラクタンス光と呼ぶ。
【先行技術文献】
【特許文献】
【０００４】
【特許文献１】特開２００９−１１５６６９号公報
【発明の概要】
【発明が解決しようとする課題】
【０００５】
インタラクタンス分光測定では、上記のように、参照用の基準となる分光スペクトルが必要である。以下、このスペクトルを、基準分光強度という。
基準分光強度は、全く同じ光源、照射光学系、分光器及び検出系を使用しつつ試料を経ないで取得したスペクトルである。分光測定において、このような基準分光強度を得る場合、基準白色板が使用される。基準白色板は、反射率が波長によらずほぼ１００％である反射板である。図９は、インタラクタンス分光測定において基準分光強度を得る従来の方法について概念的に示した図である。
【０００６】
基準分光強度は、試料の測定の際に得られたデータを評価する際の参照用の分光強度であるから、基準分光強度を測定する際には、図９（１）に示すように試料と同じ位置に（同じ照射距離で）基準白色板１１０を配置すべきである。
しかしながら、基準白色板１１０はほぼ１００％反射の反射板であるので、図９（１）に示すように、試料と同じ位置に基準白色板１１０を配置すると検出器４は光を捉えることができず、したがって基準分光強度を得ることができない。このため、図９（２）に示すように、やむを得ず基準白色板１１０を光源２から少し遠い位置に配置し、反射光が分光器３を経て検出器４に入るようにして測定が行われる。
【０００７】
この場合、図９（２）から解るように、検出器４に捉えられる光は、光源２からの光の全てではなく、基準白色板１１０に反射する光の一部が分光器３を経て検出器４に捉えられるに過ぎない。したがって、得られる基準分光強度は、光源２を含む測定系の分光特性を正確に反映したものではない。例えば光源２において光が放出される領域は有限な領域であり、その領域内で分光特性（発光スペクトル分布）が微妙に異なる。より具体的には、例えば光源２としてレンズランプ（光出射部がレンズ状に形成されているランプ）を採用した場合、当然ながら、レンズ状の光出射部のどの箇所から出てきたかによってスペクトルが異なる（色収差と同様の状況）。レンズランプでない場合でも、光源２は、石英ガラス等の透明な材料の封体（バルブ）で覆われているから、その厚さや形状に応じてレンズ効果が少なからず生じ、やはり出射箇所によって微妙にスペクトルが異なる。このため、図９（２）に示す手法では、正確な基準分光強度を得ることができず、結果としてインタラクタンス分光測定の精度が低下してしまう。
【０００８】
また、基準白色板１１０は、反射率ほぼ１００％の反射板であるので、検出器４に入射する光の強度はかなり高い。一方、試料の測定の際にはかなりの量の光が試料に吸収されるので、検出器４に入射する光の強度は低い。したがって、基準白色板１１０をそのまま使用して基準分光強度を取得すると、試料の測定時に得られる検出値を大きく上回り、測定装置のダイナミックレンジの不足が発生する。このため、基準分光強度の取得時に、検出器４に入射する光を弱くすることが必要で、このため、図９（２）中に破線で示すように、基準白色板１１０を少し光源２側にシフトさせ、分光器３を介して取り込まれる光の量を少なくすることが行われる。しかしながら、このようにすると、光の一部のみしか捉えていない問題がさらに顕著になるのに加え、シフトによる光強度の変化が大きいので、適切なダイナミックレンジの基準分光強度を得る調節が難しいという問題がある。尚、「実質的に全ての光」とは、迷光のような異常光を除いて全てという意味であり、設計通りに進む光の全てという意味である。
【０００９】
図１０は、このような従来の方法の問題を、特許文献１のようなプローブタイプの近赤外インタラクタンス分光測定装置について示した図であり、図１０（１）は、試料の測定の場合を示し、（２）は基準分光強度の取得の場合を示す。図１０に示すように、プローブ９内には光源２が収容され、また取り込み用の光学系として光ファイバ３１が収容されている。プローブタイプの測定装置を使用する場合も、試料Ｍと同じ位置に基準白色板１１０を置くと光を捉えることができないので、図１０（２）に示すように少し離れた位置に基準白色板１１０を置くが、光源２からの光の一部しか捉えることができない。
【００１０】
本願の発明は、上記各課題を解決するために為されたものであり、インタラクタンス分光測定において、正確な基準分光強度を容易に得ることのできる基準白色板を提供するとともに、この基準白色板を使用して正確な基準分光強度を簡便に得ることができるツール及び方法を提供することを目的としている。
【課題を解決するための手段】
【００１１】
上記課題を解決するため、本願の請求項１記載の発明は、近赤外インタラクタンス分光測定を行う際、参照用の基準分光強度を得るために使用される基準白色板であって、
一方の表面である機能面は、白色の面であって球面の一部を成す凹面であり、且つ完全拡散面となっているという構成を有する。
また、上記課題を解決するため、請求項２記載の発明は、請求項１記載の近赤外インタラクタンス分光測定用基準白色板と、
光出射部と光入射部とを備えたプローブを近赤外インタラクタンス分光測定用基準白色板に対して位置決めする位置決め機構とを備えた基準白色板ユニットであって、
位置決め機構は、光出射部からの光が前記機能面の一部の領域に照射された際に、当該照射された領域以外の前記機能面内の領域を光入射部が見込むようプローブを位置決めする機構であるという構成を有する。
また、上記課題を解決するため、請求項３記載の発明は、
近赤外域の光を発する光源と、
光源からの光が照射された試料からのインタラクタンス光を取り込んで分光する分光器と、
分光器で分光された光を検出する検出器と
を備えた近赤外インタラクタンス分光測定器を使用した測定に際して行われる基準分光強度の取得方法であって、
請求項１記載の近赤外インタラクタンス分光測定用基準白色板の機能面に対して前記光源により光を照射する照射ステップと、
照射ステップにおいて機能面に照射された光の反射光を分光器に取り込んで分光し、検出器により検出して分光強度を得る検出ステップと
を有しており、
照射ステップは、機能面の一部の領域である照射領域に光を照射するステップであり、
検出ステップは、機能面内のうちの照射領域以外の領域からの拡散光を取り込むステップであるという構成を有する。
【発明の効果】
【００１２】
以下に説明する通り、本願の請求項１の発明によれば、基準白色板の機能面が白色の面であって球面の一部を成す凹面であり、且つ完全拡散面となっているので、光源からの実質的に全ての光を反映した状態で基準分光強度を容易に取得できる。
また、請求項２記載の発明によれば、位置決め機構によってプローブが近赤外インタラクタンス分光測定用基準白色板に対して位置決めされるので、正確な基準分光強度を容易に得ることができる。
また、請求項３記載の発明によれば、正確な基準分光強度が取得できるので、精度の高い近赤外インタラクタンス分光測定が可能となる。
【図面の簡単な説明】
【００１３】
【図１】実施形態の近赤外インタラクタンス分光測定用基準白色板の正面断面図である。
【図２】完全拡散面について示した図である。
【図３】図１に示す基準白色板を使用して基準分光強度を得る方法について示した正面概略図である。
【図４】実施形態の基準白色板が利用する等照度球面の原理について概念的に示した図である。
【図５】実施形態の基準白色板が好適に使用される近赤外インタラクタンス分光測定装置の概略図である。
【図６】図５に示すプローブ９の正面断面概略図である。
【図７】基準白色板ユニットの発明の実施形態を示した正面断面概略図である。
【図８】インタラクタンス分光測定の原理図である。
【図９】インタラクタンス分光測定において基準分光強度を得る従来の方法について概念的に示した図である。
【図１０】従来の方法の問題を、特許文献１のようなプローブタイプの近赤外インタラクタンス分光測定装置について示した図であり、（１）は試料の測定の場合を示し、（２）は基準分光強度の取得の場合を示す。
【発明を実施するための形態】
【００１４】
次に、本願発明を実施するための形態（以下、実施形態）について説明する。
図１は、実施形態の近赤外インタラクタンス分光測定用基準白色板の正面断面図である。図１に示すように、実施形態の近赤外インタラクタンス分光測定用基準白色板（以下、単に基準白色板という）は、一方の側の面１０が凹面となっている。この凹面１０は、白色の面であって球面の一部（球凹面）を成し、且つ完全拡散面となっている。以下、この面を機能面と呼ぶ。尚、図１に示すように、球面を成す機能面１０の中心軸（球の中心と球面の縁を成す円の中心とを結ぶ仮想線）は、基準白色板の板厚方向に沿っている。
【００１５】
図２は、完全拡散面について示した図である。ある面に光を照射した際、その面内のいずれの点もその輝度が方向によらず一定となっている面（どの方向から見ても同じ輝度に見える面）は、均等反射面とか均等拡散反射面とか呼ばれる。即ち、ある点から出る光の強さ（光束）が、その出射角をθとした際のcosθに比例するということであり、ランベルト(Lambert) 面とも呼ばれる。完全拡散面とは、均等反射面ないし均等拡散反射面のうち、特に反射率が１００％又はそれに近いものを指している。
【００１６】
図３は、図１に示す基準白色板を使用して基準分光強度を得る方法について示した正面概略図である。実施形態の基準白色板を使用して基準分光強度を得る場合、試料の測定の際に使用するのと同じ光源２を使用し、同じ条件で基準白色板１に光を照射する。この際、基準白色板１の機能面１０内のある領域（以下、照射領域という）１１に光源２からの全ての光が照射されるようにする。その上で、分光器３に光を取り込む際に見込む領域は、機能面１０内の領域であって照射領域１１以外の領域（以下、取り込み領域という）１２とする。取り込み領域１２は、照射領域１１以外の機能面１０内の領域であれば、どこでも構わない。このようにすることで、光源２からのすべての光を忠実に反映したスペクトルの光が分光器３を経て検出器４に入射し、基準分光強度が高い精度で得られる。
【００１７】
上述した実施形態の基準白色板は、完全拡散面による等照度球面の原理を利用している。以下、この点について説明する。図４は、実施形態の基準白色板が利用する等照度球面の原理について概念的に示した図である。
図４において、内面が全て完全拡散面である球体５内に光源２を配置し、光源２からの光を内面に照射する。この際、内面の一点をＡとし、この点Ａの照度をｅＳとする。点Ａに入射した照度ｅＳの光はすべて反射され、点Ａを微小面積ｄＳの光源とみなすことができる。その時、微小面積光源ｄＳの輝度をＬＳとする。そして、微小面積光源ｄＳにより照射を受ける球面内の他の任意の点Ｐにおける照度をｄＥＰとし、球面の半径をＲとすると、ＡＰ間の距離は２Ｒｃｏｓαであるから、ｄＥＰは、以下の式１で表される。
【数１】
2018004498.tif 000003
【００１８】
点Ｐは、ｄＳ以外の球面内の各点から拡散光の照射を受けるから、式１を全球面で積分すると、式２となる。
【数２】
2018004498.tif 000004
輝度ＬＳは、光源２からの光による照度ｅｓによるものであり、反射率１００％であるから、以下の式３で表される。
【数３】
2018004498.tif 000005
式２と式３から、点Ｐにおける照度ＥＰは、以下の式４となる。
【数４】
2018004498.tif 000006
式４でわかるように、点Ｐの照度ＥＰは角度αに依存していない。つまり、球面内のいずれの点においても照度は同じである。これが等照度球面の定理である。この際、点Ｐの輝度は、以下の式５で表される。式５において、Ｉは、点Ａの照度ｅｓを全球面で積分した値である。
【数５】
2018004498.tif 000007
【００１９】
このように、球体５内に光源２を配置し、光源２からの光がすべて内面に照射されたとすると、任意の一点Ｐの輝度ＫＰは、Ｐの位置によらず一定で、且つ光源２からの光による照度の積分値（全光束）に比例した値となる。したがって、点Ｐの輝度を測定すれば、光源２の全光束を知ることができる。そして、点Ｐからの光を、分光器を介して捉えれば、光源２の分光発光特性（発光スペクトル）を知ることができる。この場合、光源２からの全ての光を捉えているので、光源２上の光出射箇所による依存性の影響はない。
【００２０】
上記のような等照度球面の原理は、分光発光特性のような相対的な値を得る場合、完全な球面である必要はなく、部分的な球面であっても成立する。即ち、式１から解るように、微小面積光源ｄＳによる点Ｐでの照度ｄＥＰ自体が、微小面積光源ｄＳの位置によらないから、微小面積光源ｄＳを全球面で積分する必要はなく、ある範囲の積分であっても、光源２の分光発光特性を知ることができる。
図３に示すように、光源２からの光のすべてが球面内のある領域に照射されるようにすれば、その領域外のある一点Ｐにおける輝度は、光源２からの全ての光による照度に応じたものとなり、分光発光特性のような相対的な値を知る場合には十分となる。
【００２１】
この場合に注意すべきは、輝度を測定する箇所は、上述したように光源２からの光を直接照射する領域（照射領域１１）外とすることである。直射光が当たっている領域内の点の輝度は、領域外の箇所からの拡散光が照射されることによる輝度と、直射光の反射による輝度との合算となり、上記式１〜式５の関係が成立しなくなる。図３に示すように、直射光が照射される照射領域１１外の位置の輝度を測定する必要がある。
【００２２】
このような原理である実施形態の基準白色板は、機能面１０が球面を成し、白色の完全拡散面である限り、任意の材質で形成することができる。例えば、通常の平板状の基準白色板を加工することで製作することができる。例えば、ポリテトラフルオロエチレン（ＰＴＦＥ，デュポン社の商品名（商標名）テフロン）製の基準白色板が市販されているので、これを切削加工して球凹面を形成することで実施形態の基準白色板とすることができる。切削加工後の表面も、完全拡散面となることが発明者によって確認されている。必要であれば、切削加工後、サンドペーパー等で粗面化処理をしても良い。
【００２３】
また、セラミックス製の基準白色板も市販されており、これについても同様に切削加工して球凹面を形成し、必要に応じて粗面化処理をして実施形態の基準白色板とすることができる。
また、基板に硫酸バリウムを塗布すること基準白色板とする技術も知られており、これを応用しても良い。例えばアルミ等の金属を加工して一方の側の表面が所定の曲率の球凹面となっている基板を製作する。そして、その表面に、硫酸バリウム粉末を分散剤中に分散させた硫酸バリウム塗料を吹き付け、分散剤を蒸発させて硫酸バリウムを固定する。これにより、実施形態の基準白色板が得られる。
【００２４】
次に、このような実施形態の基準白色板が好適に使用される近赤外インタラクタンス分光測定器や測定方法等について説明する。
図５は、実施形態の基準白色板が好適に使用される近赤外インタラクタンス分光測定装置の概略図である。図５に示すように、この測定装置は、装置本体８とプローブ９とを備えている。そして、フレキシブルケーブル３２が装置本体８とプローブ９とをつなぐようにして設けられており、光ファイバ３１はこのフレキシブルケーブル３２内に収められている。装置本体８内には、分光器３、検出器４、コンピュータ６の他、データ処理回路８１及びインターフェース８２等が設けられている。
【００２５】
図６は、図５に示すプローブ９の正面断面概略図である。図５及び図６に示すように、この近赤外インタラクタンス分光測定装置は、少なくとも７００ｎｍから１０００ｎｍの範囲の波長の光を発する光源２と、試料Ｍに光源２からの光が照射されるように光源２を保持するホルダー２２と、光源２からの光が照射された試料からのインタラクタンス光が入射する位置に入射端が配置された光ファイバ３１と、光ファイバ３１の出射端から出射される光が入射する位置に配置された分光器３と、分光器３で分光された光の強度を検出する検出器４と、検出器４からの出力データ（光強度信号）を処理する演算処理部を含むコンピュータ６と、コンピュータ６による測定結果を出力する出力部７とを備えている。
【００２６】
プローブ９は、試料に対して照射する光を出射する光出射部と、光照射された試料からのインタラクタンス光が入射する光入射部とを備えている。この例では、光出射部は光源２であり、光入射部は光ファイバ３１の入射端である。この他、光源２からの光を、レンズ系を介して試料Ｍに照射する場合にはそのレンズ系が光出射部になるし、レンズ系によって光を分光器３に取り込んでいる場合、そのレンズ系が光入射部になる。
【００２７】
図６に示すように、プローブ９は、把持部９１と、把持部９１の先端に設けられた筐体９２とを備えている。筐体９２は、高さの低い円筒状である。筐体９２の前板部９２１の中央には、測定用開口９３が形成されている。測定用開口９３の上方であって筐体９２の中心軸上には、直角プリズム９４が設けられている。光ファイバ３の入射端は、直角プリズム９４と同じ高さの位置に設けられている。尚、測定用開口９３には、筐体９２内の汚染を防止するために光学窓が必要に応じて嵌め込まれる。
【００２８】
筐体９２内には、試料に対して光を照射する際の光軸（以下、照射光軸）Ａ１と、光照射された試料からのインタラクタンス光を取り込む際の光軸（以下、取り込み光軸）Ａ２とが設定されている。取り込み光軸Ａ２は、直角プリズム９４の全反射面の中心を通る軸であり、光ファイバ３１の入射端の中心からその入射端に垂直に延びる線に一致した軸である。
【００２９】
また、取り込み光軸Ａ２上には、集光レンズ９５が設けられている。集光レンズ９５は、試料Ｍからの光を集光して光ファイバ３１に入射させることで測定精度や測定効率を高めるためのものである。取り込み光軸Ａ２は、測定用開口９３から筐体９２と同軸上に上方に延び、直角プリズム９４によって直角に折れ曲がって光ファイバ３１の入射端に達している。尚、光ファイバ３１は、筐体９２の側部を貫通して設けられている。
【００３０】
この測定装置では、特許文献１の装置と同様、五つの光源２が用いられており、照射光軸Ａ１は五つ設定されている。各光源２は、取り込み光軸Ａ２と同軸の円周上に設けられている。五つの光源２は等間隔（即ち７２度間隔）である。
光源２としては、上記使用波長範囲の光を発する高輝度の点光源であることが好ましく、本実施形態ではハロゲンランプが使用されている。この他、クリプトンランプ等も使用できる場合がある。また、小さなスポットに光を照射して測定精度や測定効率を高める観点から、封体の先端（光出射端）がレンズ状になっているレンズランプが好適に用いられる。
【００３１】
ホルダー２２は、所定の姿勢で各光源２を保持するものとなっている。所定の姿勢とは、例えば取り込み光軸Ａ２に対して照射光軸Ａ１が３０〜３５°となる姿勢である。ホルダー２２は全体としては円板状の部材であり、筐体９２内に水平な姿勢で設けられている。ホルダー２２には、光源２を保持するための保持孔２０が五つ設けられている。また、直角プリズム９４を配置したり、集光レンズ９５を配置したりするための切り欠き２３が形成されている。
【００３２】
光源２は、全体としては円筒形のロッド状となっている。この光源２では、円筒の中心軸が照射光軸Ａ１となっている。各光源２は、それぞれの光軸Ａ１が筐体９２の中心軸に向かう状態で斜めに配置されている。即ち、各光軸Ａ１は、筐体９２の中心軸上の同一の点で交差している。この光軸が交差する点は、筐体９２の下方位置であり、測定状態で試料Ｍの内部である。
【００３３】
尚、装置本体８内には、各光源２への給電回路８３が設けられている。給電回路８３と各光源２は、給電ケーブル８４で接続されている。光ファイバ３１と給電ケーブル８４を一つのフレキシブルケーブル３２として束ねられている。
分光器３は、使用波長範囲において光を波長ごとに必要な分解能で分解できるものである。分光器３としては、回折格子を使用したもの、またフーリエ変換型の分光器、その他すべての分光器を採用し得る。
【００３４】
検出器４は、分光器３で分光された光を受光し、電気信号に変換するものである。図5に示す装置では、検出器４にはリニアアレイセンサが使用されており、回折格子の掃引無しに使用波長範囲で光電変換されるようになっている。また、測定精度を高めるには、雑音レベルに対して測定有効光（意味のある光の量）の受光量を充分に大きくすることが重要であり、このため、飽和受光量の大きなシリコンリニアセンサ等を検出器４として用いることが望ましい。
【００３５】
検出器４とコンピュータ６は、データ処理回路８１及びインターフェース８２を介して接続されている。データ処理回路８１は、増幅、Ａ／Ｄ変換等のデータ処理を行う回路となっている。インターフェース８２は、処理されたデータをコンピュータ６に取り込むためのもので、ＵＳＢインターフェース等、適宜選択して採用し得る。
【００３６】
コンピュータ６は、演算処理部としてのマイクロプロセッサ、ＲＯＭやＲＡＭ等のメモリ等を備えたものである。本実施形態では、出力部７はコンピュータ６が備えるディスプレイとなっている。また、コンピュータ６の記憶部（例えばメモリ）には、測定用のソフトウェアがインストールされている。このソフトウェアは、データ処理回路８１及びインターフェース８２を介して送られたデータから分光強度分布を算出し、参照用の分光強度分布と比較して評価するプログラムが含まれている。
【００３７】
図５及び図６に示す測定装置を使用して試料の近赤外インタラクタンス分光測定を行う場合、光源２を点灯させた状態でプローブ９を手に持ち、筐体９２の前板部９２１を試料Ｍの表面に当接させる。光源２からの光は、試料Ｍの内部で反射又は散乱して戻り、試料Ｍの表面を通して出射する。この光（インタラクタンス光）は、光ファイバ３１の入射端に達し、光ファイバ３１で導かれて分光器３に達する。そして、分光器３で各波長の光に分光された後、検出器４に達して光電変換され、検出器４から出力データがコンピュータ６に送られる。
【００３８】
コンピュータ６では測定用のプログラムが起動しており、測定用のプログラムは、送られた出力データを処理して分光強度分布を算出するとともに、メモリに記憶された基準分光強度を読み出し、算出された試料の分光強度と比較して試料の評価を行う。評価結果は、測定結果として出力部に表示される。例えば特定の波長域の光の吸収率を基準分光強度との比較から行い、その結果から特定の成分の含有率を算出して表示する。より具体的には、例えば特許文献１に開示されたような食肉脂質の脂肪酸組成値の測定を行う場合、７００〜１１００ｎｍの範囲の光の吸収率を算出し、検量線に当てはめて算出する。
【００３９】
このような近赤外インタラクタンス分光測定を行う際、基準分光強度の取得が予め行われる。具体的には、図３に示すように、プローブに対して所定の位置に実施形態の基準白色板１を配置し、試料に対する測定時と同じ条件で光を照射する。この際、基準白色板１の位置は、各光源２からの光がすべて機能面１０内の照射領域１１に照射されるとともに、光ファイバ３１の臨界入射角との関係で、照射領域１１からの光が取り込み領域１２に直接入射しない位置とされる。
【００４０】
より具体的に説明すると、周知のように、光ファイバは、大きな角度で入射する光については内部で全反射されないので、導くことができない。全反射が可能な最も大きな角度が臨界入射角であり、臨界入射角以下の角度の光に限って光ファイバで導かれる。この場合、光ファイバ３１の入射端から臨界入射角で見込む領域が、取り込み領域１２である。この領域１２が、照射領域１１に重ならないよう基準白色板１の位置が調節される。
【００４１】
一方、光源２としてはレンズランプが使用されているので、光は集光されながら基準白色板１に照射される。したがって、照射領域１１の大きさは照射距離で調節され、取り込み領域１２の外側に照射領域１１が形成されるように調節される。実際には、光源２及び光ファイバ３１の入射端は筐体９２で保持されていてお互いの位置関係は固定であるので、筐体９２を基準白色板１に対してある位置に配置した際、上記関係が成立するようになっている。
【００４２】
光ファイバ３１に入射するのは、基準白色板１の機能面（完全拡散面）１０のうちの取り込み領域１２からの光である。この光は、試料の測定時と同様に分光器３で分光され、検出器４で光電変換される。そして、コンピュータ６での処理等により基準分光強度が得られ、コンピュータ６の記憶部に記憶される。
【００４３】
上記のように、基準白色板の機能面１０は光源２からの実質的に全ての光を捉えており、この光の拡散光が取り込み領域１２に達し、取り込み領域１２で拡散した光が光ファイバ３１に入射して捉えられる。取り込み領域１２の光は、光源２からの実質的に全ての光を反映したものであり、したがってそのスペクトル成分も全ての光を反映したものとなっている。このため、正確な基準分光強度が得られることになり、この基準分光強度を利用することで高い精度の近赤外インタラクタンス分光測定が実現される。
【００４４】
次に、基準白色板ユニットの発明の実施形態について説明する。図７は、基準白色板ユニットの発明の実施形態を示した正面断面概略図である。基準白色板ユニットは、上述した基準白色板１と、基準白色板１をプローブ９に対して位置決めする位置決め機構とを備えている。この実施形態では、位置決め機構としてフレーム１００が使用されれており、フレーム１００の形状により位置決めが行われるようになっている。
この実施形態では、フレーム１００は円筒状の部材となっている。フレーム１００の底板部には、基準板用開口が形成されている。基準板用開口はフレーム１００と同軸の円形であり、基準板用開口の縁には段差が形成されている。段差の径は、白色基準板１の外径に適合しており、段差に落とし込まれることで白色基準板１が装着されている。
【００４５】
プローブ９に対する基準白色板１の位置決めは、円筒状のフレーム１００の上縁で達成されるようになっている。図８に示すように、円筒状のフレーム１００の上縁にも段差が形成されている。段差の径は、プローブ９の筐体９２の外径に適合しており、図７に示すように筐体９２を段差に落とし込むことでプローブ９が基準白色板に対して所定の位置関係で配置される。所定の位置関係とは、上述したように取り込み領域１２が照射領域１１の外側となる位置関係である。
【００４６】
この基準白色板ユニットによれば、フレーム１００の上縁の段差にプローブ９の筐体９２を落とし込むだけで、筐体９２内の光源及び光ファイバ３１の入射端が基準白色板１に対して位置決めされ、照射領域１１と取り込み領域１２とが重ならない状態となる。このため、正確な基準分光強度を容易に得ることができる。
上記実施形態では、フレーム１００は、段差に落とし込むことでプローブ９の位置決めがされる構造であったが、これはあくまで一例であり、他に多くの構造が考えられる。例えば、プローブ９の筐体９２の前板部９２１に突起が少なくとも二つ形成されており、突起が嵌り込む孔又は凹部がフレームに形成されていて、突起が孔又は凹部に嵌り込むことで位置決めがされる構造が考えられる。このように特定の部材の形状によって位置決めがされる場合の他、動く機構（駆動機構）によって位置決めがされる場合もある。例えば、基準白色板１を保持するホルダーに対してマイクロメーターのような精密送り機構を設けて位置決めしたり、サーボモータを含むサーボ機構を設けて位置決めしたりする構成が考えられる。
【００４７】
また、上記各実施形態では、取り込み領域１２が機能面１０の中央であり、照射領域１１がその外側であったが、これは何ら必須ではなく、両者が重ならない位置であれば、機能面１０内のどの位置であっても良い。例えば、機能面１０の中央に光源２からの光を照射し、その外側のいずれかの領域からの光を捉えて基準分光強度としても良い。
【００４８】
尚、上記実施形態では、機能面１０に対して光源２からの実質的にすべての光を照射して基準分光強度を取得したが、これは、試料の測定の際と全く同じ条件にすることの一環である。したがって、試料の測定の際に光源２からの光の一部のみを照射する場合には、全く同じ条件で一部のみの光を機能面１０に対して照射することになる。例えば、試料の測定の際、光源２からの光を、アパーチャを通して（アパーチャによって制限して）照射する場合、基準分光強度の取得の際にも全く同じようにアパーチャを通して機能面１０に光を照射し、照射領域１１を外れた位置からの光を捉えて基準分光強度とする。但し、通常は、光源の利用効率を高くする観点から実質的に全ての光を照射して測定を行うので、基準分光強度の取得の際にも全ての光を照射して行う場合が多い。
【００４９】
また、基準白色板が使用される近赤外インタラクタンス分光測定装置としては、上述した構成のものには限定されず、各種の装置について基準白色板が使用される。例えば、光源を含む照射系が取り込み用光学系と別々になっている構成のプローブを備えた測定装置でも良く、光ファイバではなくてミラー等を使用して光を取り込む構成の測定装置でも良い。
【符号の説明】
【００５０】
１  基準白色板
１０  機能面
１１  照射領域
１２  取り込み領域
１００  フレーム
２  光源
３  分光器
３１  光ファイバ
４  検出器
６  コンピュータ
【図１】
2018004498.tif 000008
【図２】
2018004498.tif 000009
【図３】
2018004498.tif 000010
【図４】
2018004498.tif 000011
【図５】
2018004498.tif 000012
【図６】
2018004498.tif 000013
【図７】
2018004498.tif 000014
【図８】
2018004498.tif 000015
【図９】
2018004498.tif 000016
【図１０】
2018004498.tif 000017